(57)【要約】【課題】部品点数の増加及び作業の煩雑化を抑えることができるデスクパネルを提供すること。【解決手段】デスクの背面に配置され、高さ方向の位置を段階的に変更可能に設けられたバックパネルと、前記デスクの側面に配置され、前記バックパネルに連結されるサイドパネルと、前記サイドパネルを支持し、前記バックパネルの高さ方向の位置に応じて前記サイドパネルの高さ方向の位置を段階的に変更可能に設けられた脚部とを備える。【選択図】図１
2014090925.tif 000002
【特許請求の範囲】
【請求項１】
デスクの背面に支持され、高さ方向の位置を段階的に変更可能に設けられたバックパネルと、
前記デスクの側面に配置され、前記バックパネルに連結されるサイドパネルと、
前記サイドパネルを支持し、前記バックパネルの高さ方向の位置に応じて前記サイドパネルの高さ方向の位置を段階的に変更可能に設けられた脚部と
を備えるデスクパネル。
【請求項２】
前記サイドパネルは、前記バックパネルに連結される部分を中心として前記バックパネルに対して左右方向に回動可能に設けられる
請求項１に記載のデスクパネル。
【請求項３】
前記サイドパネルの底部には、当該底部から上方へ向けて形成された所定の深さの凹部が設けられ、
前記脚部は、
一方向に長手となるように形成され、前記凹部に挿入可能な第一端部及び第二端部を有する脚部本体と、
前記脚部本体のうち前記一方向の中心位置に対して前記第一端部側又は前記第二端部側の一方にずれた位置に設けられ、前記第一端部及び前記第二端部が前記凹部に挿入された状態で前記底部に当接されるフランジ部と
を有する
請求項１又は請求項２に記載のデスクパネル。
【請求項４】
前記バックパネルは、前記デスクの背面のうち段階的に高さが異なる複数の位置に対して個別に接続可能な接続部を有する
請求項１から請求項３のうちいずれか一項に記載のデスクパネル。
【発明の詳細な説明】
【技術分野】
【０００１】
本発明は、デスクパネルに関する。
【背景技術】
【０００２】
従来、デスクの背面及び側面に配置されるデスクパネルが知られている。このデスクパネルの中には、例えばデスクの背面に配置されるバックパネルと、デスクの側面に配置されるサイドパネルとが連結された構成が知られている（例えば、特許文献１参照）。このようなバックパネルとサイドパネルとが連結された構成においては、例えばバックパネルの高さを変更する場合、バックパネルの高さに応じてサイドパネルの高さを変更する必要がある。
【先行技術文献】
【特許文献】
【０００３】
【特許文献１】特開２００６−１０９９４９号公報
【発明の概要】
【発明が解決しようとする課題】
【０００４】
しかしながら、上記構成においては、サイドパネルの高さを変更する際に、サイドパネルの脚部を交換等する必要があるため、部品点数が増加し、組み立て作業が煩雑になるという問題があった。
【０００５】
以上のような事情に鑑み、本発明は、部品点数の増加及び組み立て作業の煩雑化を抑えることができるデスクパネルを提供することを目的とする。
【課題を解決するための手段】
【０００６】
本発明に係るデスクパネルは、デスクの背面に支持され、高さ方向の位置を段階的に変更可能に設けられたバックパネルと、前記デスクの側面に配置され、前記バックパネルに連結されるサイドパネルと、前記サイドパネルを支持し、前記バックパネルの高さ方向の位置に応じて前記サイドパネルの高さ方向の位置を段階的に変更可能に設けられた脚部とを備える。
【０００７】
この構成によれば、バックパネルとサイドパネルとが連結された状態でバックパネルの高さ位置を変更した場合であっても、当該バックパネルの高さ位置の変更に応じてサイドパネルの高さ位置を脚部において変更することができる。これにより、脚部を交換する必要が無いため、部品点数の増加及び組み立て作業の煩雑化を抑えることができる。
【０００８】
上記のデスクパネルにおいて、前記サイドパネルは、前記バックパネルに連結される部分を中心として前記バックパネルに対して左右方向に回動可能に設けられる。  
この構成によれば、サイドパネルがバックパネルに連結される部分を中心として当該バックパネルに対して左右方向に回動可能に設けられるため、サイドパネルに対して当該左右方向に力が作用する場合であっても、サイドパネルが回動し、回動方向に力を逃がすことができる。また、周囲の状況に応じてサイドパネルをバックパネルに対して所望の回動位置に配置させることができる。これにより、サイドパネルの使用態様の幅が広がることになる。また、例えばサイドパネルの高さ方向の位置を段階的に変更するなどの作業において、サイドパネルを回動させることで作業スペースが確保しやすくなる。
【０００９】
上記のデスクパネルにおいて、前記サイドパネルの底部には、当該底部から上方へ向けて形成された所定の深さの凹部が設けられ、前記脚部は、一方向に長手となるように形成され、前記凹部に挿入可能な第一端部及び第二端部を有する脚部本体と、前記脚部本体のうち前記一方向の中心位置に対して前記第一端部側又は前記第二端部側の一方にずれた位置に設けられ、前記第一端部及び前記第二端部が前記凹部に挿入された状態で前記底部に当接されるフランジ部とを有する。  
この構成によれば、フランジ部がサイドパネルの底部に当接するまで脚部の第一端部又は第二端部を凹部に挿入することにより、フランジ部までの長さが異なる第一端部及び第二端部のうち一方を底部の下方に突出させることができる。凹部に挿入する端部を第一端部と第二端部との間で変更することにより、底部の下方に突出させる部分の長さを変更することができるので、サイドパネルの高さ位置を段階的（この場合は２段階）に変更することができる。このように、上下の向きを返すように一つの脚部をサイドパネルに装着することで、効率よくサイドパネルの高さ位置を段階的に変更することができる。
【００１０】
上記のデスクパネルにおいて、前記バックパネルは、前記デスクの背面のうち段階的に高さが異なる複数の位置に対して個別に接続可能な接続部を有する。  
この構成によれば、バックパネルがデスクの背面のうち段階的に高さが異なる複数の位置に対して個別に接続可能な接続部を有するので、接続部の接続位置を複数の位置の間で切り替えることにより、効率よくバックパネルの高さ位置を段階的に変更することができる。
【発明の効果】
【００１１】
本発明によれば、脚部の交換が不要となるため、これに伴う部品点数の増加や組み立て作業の煩雑化を抑えることができる。
【図面の簡単な説明】
【００１２】
【図１】本発明の第一実施形態に係るデスクパネルの全体構成を示す斜視図。
【図２】本実施形態に係るデスクパネルの構成を示す右側面図。
【図３】本実施形態に係るデスクパネルの一部の構成を示す断面図。
【図４】本実施形態に係るデスクパネルの一部の構成を示す分解斜視図。
【図５】本実施形態に係るデスクパネルの一部の構成を示す分解斜視図。
【図６】本実施形態に係るデスクパネルの一部の構成を示す分解斜視図。
【図７】本実施形態に係るデスクパネルの一部の構成を示す平面図。
【図８】本実施形態に係るデスクパネルの一部の構成を示す分解斜視図。
【図９】本実施形態に係るデスクパネルの一部の構成を示す断面図。
【図１０】本実施形態に係るデスクパネルの一部の構成を示す断面図。
【図１１】本実施形態に係るデスクパネルの構成を示す右側面図。
【図１２】本実施形態に係るデスクパネルの一部の構成を示す断面図。
【図１３】本実施形態に係るデスクパネルの一部の構成を示す断面図。
【図１４】本発明の第二実施形態に係るデスクパネルの全体構成を示す斜視図。
【図１５】本発明の第三実施形態に係るデスクパネルの全体構成を示す斜視図。
【図１６】本実施形態に係るデスクパネルの一部の構成を示す平面図。
【図１７】本実施形態に係るデスクパネルの一部の構成を示す正面図。
【発明を実施するための形態】
【００１３】
以下、図面を参照して本発明の実施の形態を説明する。  
［第一実施形態］  
図１は、本実施形態に係るデスクパネル１００の構成を示す斜視図である。図２は、デスクパネル１００の構成を示す右側面図である。  
まず、図１及び図２を参照して、デスクパネル１００の概略構成を説明する。図１及び図２に示すように、デスクパネル１００は、デスク１０の背面１０ｂに配置されたバックパネル２０と、デスク１０の左側面１０ｃに配置されたサイドパネル３０と、当該サイドパネル３０を支持する脚部４０とを備えている。
【００１４】
以下の説明において方向を記載する場合には、図１及び図２に示すＸＹＺ座標系の各方向に従うものとする。すなわち、デスク１０の背面１０ｂに垂直な方向にＸ軸を設定し、デスク１０の左側面１０ｃに垂直な方向にＹ軸を設定し、床面Ｆに垂直な方向にＺ軸を設定する。この場合において、デスク１０の背面１０ｂから正面側へ向けた方向を＋Ｘ方向とし、左側面１０ｃから右側面１０ｄへ向けた方向を＋Ｙ方向とし、床面Ｆから上方へ向かう方向を＋Ｚ方向とする。また、Ｚ軸回りの方向（回動方向）をθＺ方向とする。
【００１５】
本実施形態で用いられるデスク１０は、例えば正面側に配置された主天板１１と、背面側に配置された補助天板１２と、主天板１１及び補助天板１２を支持する脚体１３と、補助天板１２に取り付けられたブラケット１４とを有している。主天板１１は、例えば正面側の一部が−Ｘ方向に湾曲され、背面側がＹ方向に平行な直線状に形成された形状を有している。
【００１６】
補助天板１２は、矩形の形状を有する前天板１２ａ及び後天板１２ｂを有している。前天板１２ａは、主天板１１の−Ｘ側に配置されている。後天板１２ｂは、前天板１２ａの−Ｘ側に配置されている。したがって、主天板１１、前天板１２ａ及び後天板１２ｂは、Ｘ方向に並んで配置されている。前天板１２ａ及び後天板１２ｂは、連結部１２ｃによって連結されている。前天板１２ａと後天板１２ｂとの間には、隙間１２ｄが形成されている。隙間１２ｄは、補助天板１２をＺ方向に貫通するように形成されている。脚体１３は、デスク１０の＋Ｙ側端部及び−Ｙ側端部に１つずつ、計２つ配置されている。２つの脚体１３の間には、横連結ビーム（不図示）が架け渡されている。
【００１７】
ブラケット１４は、後天板１２ｂに固定された固定部分１５と、当該固定部分１５から延び出した延出部分１６とを有している。ブラケット１４は、後天板１２ｂの＋Ｙ側端部及び−Ｙ側端部に１つずつ、計２つ配置されている。固定部分１５は、後天板１２ｂの下面（−Ｚ側の面）に固定されている。延出部分１６は、当該固定部分１５から−Ｘ方向へ向けて延びており、デスク１０の背面１０ｂにおいて折り曲げられて下側（−Ｚ方向）へ向けて延びている。
【００１８】
バックパネル２０は、矩形の板状に形成されたパネル本体２１と、当該パネル本体２１の上辺に配置されたレール部２２と、上記延出部分１６に接続可能な接続部２３とを有している。パネル本体２１は、ＹＺ平面に平行に配置されている。パネル本体２１の＋Ｙ側端部及び−Ｙ側端部は、デスク１０に対してそれぞれＹ方向にはみ出している。
【００１９】
レール部２２は、Ｙ方向に延びるように角柱状に形成されている。レール部２２の＋Ｘ側の面及び−Ｘ側の面には、それぞれアリ溝２２ａが形成されている。レール部２２の材料としては、特に限定されないが、例えばアルミニウム合金などの材料を用いることができる。
【００２０】
接続部２３は、パネル本体２１の＋Ｘ側の面（パネル面２１ａ）に取り付けられている。接続部２３は、パネル本体２１の＋Ｙ側端部と−Ｙ側端部とに１つずつ設けられている。２つの接続部２３は、それぞれデスク１０に設けられた２つの延出部分１６に対してＸ方向視で重なる位置に配置されている。
【００２１】
サイドパネル３０は、板状に形成されたパネル本体３１と、当該パネル本体３１をバックパネル２０に連結する上側連結部３２及び下側連結部３３とを有している。パネル本体３１は、上辺（＋Ｚ側端辺）及び当該上辺から下方に延びる２つの側辺（＋Ｘ側端辺及び−Ｘ側端辺）が直線状に形成されており、下辺（−Ｚ側端辺）については＋Ｘ方向へ向けて下側に突出するように形成されている。したがって、パネル本体２１の−Ｘ側端部の床面Ｆからの高さｈ１よりも、＋Ｘ側端部の床面Ｆからの高さｈ２の方が小さい値となっている。この場合、パネル本体３１のＸ方向の中心位置に対して＋Ｘ側に重心が位置することになるため、パネル本体３１の重力が脚部４０に掛かりやすくなり、上側連結部３２及び下側連結部３３における重力の負担が軽減されることになる。なお、高さｈ２については、高さｈ１に応じた値に設定することができる。
【００２２】
脚部４０は、サイドパネル３０の底部に取り付けられる本体部４１と、当該本体部４１の底部を保護するカバー部材４２とを有する。本体部４１は、パネル本体３１の＋Ｘ側端部に取り付けられている。カバー部材４２は、床面Ｆに接触され、本体部４１を支持する。カバー部材４２として、例えばキャスターなどが用いられた構成であってもよい。
【００２３】
次に、デスクパネル１００の各部の構成を説明する。  
図３は、デスク１０の延出部分１６にバックパネル２０の接続部２３が接続された構成を示す断面図である。図３では、ＸＺ平面に平行な平面による延出部分１６及び接続部２３の断面を示している。
【００２４】
図３に示すように、延出部分１６には、例えば３つの貫通孔１６ａ、１６ｂ、１６ｃが形成されている。当該３つの貫通孔１６ａ、１６ｂ、１６ｃは、延出部分１６の＋Ｚ側から−Ｚ側へ向けて等ピッチで一列に形成されている。貫通孔１６ａ、１６ｂ、１６ｃは、それぞれ延出部分１６をＸ方向に貫通するように形成されている。貫通孔１６ａの−Ｘ側端部は、延出部分１６の屈曲部へ抜けるように＋Ｚ方向へ延びた状態に形成されている。貫通孔１６ｂは、−Ｘ方向へ向けて直線状に形成されている。貫通孔１６ｃは、−Ｘ側端部において斜め上方へ抜けるように形成されている。
【００２５】
貫通孔１６ａ、１６ｂ、１６ｃの内壁のうち−Ｚ側の面には、＋Ｚ方向に突出した突出部１７ａ、１７ｂ、１７ｃが設けられている。突出部１７ａ、１７ｂ、１７ｃは、貫通孔１６ａ、１６ｂ、１６ｃの−Ｘ側端部に設けられている。突出部１７ａ、１７ｂ、１７ｃは、貫通孔１６ａ、１６ｂ、１６ｃの＋Ｘ側端部から−Ｘ方向へ向けて徐々に＋Ｚ側へ突出するように形成されている。３つの突出部１７ａ、１７ｂ、１７ｃは、Ｚ方向に等ピッチで配置されている。
【００２６】
接続部２３は、パネル面２１ａに固定された基部２４と、当該基部２４の＋Ｚ側端部に設けられた第一鉤部２５と、基部２４の−Ｚ側端部に設けられた第二鉤部２６とを有している。第一鉤部２５及び第二鉤部２６は、それぞれ基部２４から＋Ｘ側に突出すると共に−Ｚ側に折り曲げられており、先端部２５ａ、２６ａが−Ｚ方向に垂れ下がった形状を有している。
【００２７】
第一鉤部２５及び第二鉤部２６は、貫通孔１６ａ、１６ｂ、１６ｃ及び突出部１７ａ、１７ｂ、１７ｃと等しいピッチＰでＺ方向に並んで配置されている。第一鉤部２５及び第二鉤部２６は、２つの貫通孔１６ａ、１６ｂ又は２つの貫通孔１６ｂ、１６ｃに挿入可能に設けられている。
【００２８】
図３（図１及び図２においても同様）に示すように、第一鉤部２５及び第二鉤部２６は例えば２つの貫通孔１６ａ、１６ｂに挿入されている。この状態において、第一鉤部２５の先端部２５ａと突出部１７ａとの間、及び、第二鉤部２６の先端部２５ｂと突出部１７ｂとの間は、それぞれ係合されている。
【００２９】
このようにＺ方向の２箇所において係合状態を形成することにより、接続部２３とブラケット１４との間では、Ｙ軸回り（θＹ方向）へのズレが抑制される。本実施形態では、このような係合による接続がＹ方向の２箇所（＋Ｙ側端部及び−Ｙ側端部）の接続部２３とブラケット１４との間で形成される。このため、デスク１０とバックパネル２０との間において、Ｘ方向、Ｙ方向、θＸ方向、θＹ方向及びθＺ方向へのズレがそれぞれ抑制され、バックパネル２０が強固にデスク１０に支持される。なお、Ｚ方向へのズレについては、バックパネル２０に作用する重力によって抑制される。
【００３０】
先端部２５ａ、２６ａ及び突出部１７ａ、１７ｂの形状については、例えば図３に示すように、係合状態において先端部２５ａ、２６ａと突出部１７ａ、１７ｂとの間が隙間無く当接する形状とすることができる。この場合、デスク１０とバックパネル２０との間の位置ズレが一層確実に抑制される。また、第一鉤部２５の屈曲部分の上端２５ｃ及び第二鉤部２６の屈曲部分の上端２６ｃが＋Ｘ方向に向けて下側に傾斜した形状を有していてもよい。この場合、第一鉤部２５及び第二鉤部２６を貫通孔１６ａ、１６ｂ、１６ｃに挿入する場合、あるいは貫通孔１６ａ、１６ｂ、１６ｃから取り出す場合に、接続部２３とブラケット１４との間の引っ掛かりを防ぐことができる。
【００３１】
図４は、サイドパネル３０及び脚部４０の構成を示す分解斜視図である。図５は、図４の一部を拡大して示す図であり、上側連結部３２を用いたサイドパネル３０とバックパネル２０との間の連結構成を示す分解斜視図である。  
図４及び図５に示すように、上側連結部３２は、バックパネル２０に固定される基部３４と、サイドパネル３０に装着される装着部３５と、基部３４と装着部３５とを接続する接続部３６とを有している。
【００３２】
基部３４は、パネル本体２１のパネル面２１ａに固定される。基部３４は、例えばＹ方向に長手となるように板状に形成されており、パネル面２１ａに沿うようにＹＺ平面に平行に配置される。基部３４には、３つの貫通孔３４ａ、３４ｂ、３４ｃが設けられている。
【００３３】
貫通孔３４ａは、基部３４のＹ方向の中央部に設けられており、例えばＹ方向に延びるように形成されている。貫通孔３４ｂは、貫通孔３４ａに対して−Ｙ側に所定の間隔を空けて配置されており、例えば円形に形成されている。貫通孔３４ｃは、貫通孔３４ａに対して＋Ｙ側に所定の間隔を空けて配置されており、例えば円形に形成されている。
【００３４】
基部３４は、例えば２つの固定部材３４ｄを介してパネル本体２１に固定されている。固定部材３４ｄの一方は、貫通孔３４ａの右端（＋Ｙ側端部）を貫通してパネル本体２１に形成された孔部２７ａに挿入される。固定部材３４ｄの他方は、貫通孔３４ｂを貫通してパネル本体２１に形成された孔部２７ｂに挿入される。なお、孔部２７ａ、２７ｂの位置は予め設定されており、当該孔部２７ａ、２７ｂのＹ方向のピッチに合わせて貫通孔３４ａ、３４ｂ、３４ｃの形状及び寸法が設定されている。接続部３６は、基部３４の＋Ｚ側端辺から＋Ｘ方向に折り曲げられた状態に形成されている。
【００３５】
装着部３５は、パネル本体３１の上面３１ｄに装着される。装着部３５は、接続部３６から＋Ｘ方向に突出するように板状に形成されている。装着部３５は、上面３１ｄに沿うようにＸＹ平面に平行に設けられている。装着部３５のうち＋Ｘ側の端部は、丸みを帯びた形状に形成されている。装着部３５には、軸部３５ａが形成されている。軸部３５ａは、装着部３５の−Ｚ側の面から−Ｚ方向に突出するように円柱状に形成されている。
【００３６】
軸部３５ａは、パネル本体３１の上面３１ｄに設けられた挿入孔３１ａに挿入される。挿入孔３１ａは、上面３１ｄのうちバックパネル２０側の端部に設けられている。挿入孔３１ａは、例えばパネル本体３１の厚さ方向（図４及び図５ではＹ方向）の中央に形成されている。挿入孔３１ａは、上面３１ｄ側から−Ｚ方向に円柱状に刳り貫かれた形状を有している。軸部３５ａの外周及び挿入孔３１ａの内周は、軸部３５ａと挿入孔３１ａとの間でθＺ方向の相対的な移動（例、回動動作）が可能となるように、寸法や摩擦係数などが設定されている。
【００３７】
図６は、図４の一部を拡大して示す図であり、下側連結部３３を用いたサイドパネル３０とバックパネル２０との間の連結構成を示す分解斜視図である。  
図４及び図６に示すように、下側連結部３３は、バックパネル２０に固定される基部３７と、サイドパネル３０に装着される装着部３８と、基部３７と装着部３８とを接続する接続部３９とを有している。
【００３８】
基部３７は、パネル本体２１のパネル面２１ａに固定される。基部３７は、例えばＹ方向に長手となるように板状に形成されており、パネル面２１ａに沿うようにＹＺ平面に平行に配置される。基部３７には、３つの貫通孔３７ａ、３７ｂ、３７ｃが設けられている。
【００３９】
貫通孔３７ａは、基部３７のＹ方向の中央部に設けられており、例えばＹ方向に延びるように形成されている。貫通孔３７ｂは、貫通孔３７ａに対して−Ｙ側に所定の間隔を空けて配置されており、例えば円形に形成されている。貫通孔３７ｃは、貫通孔３７ａに対して＋Ｙ側に所定の間隔を空けて配置されており、例えば円形に形成されている。
【００４０】
基部３７は、例えば２つの固定部材３７ｄを介してパネル本体２１に固定されている。固定部材３７ｄの一方は、貫通孔３７ａの右端（＋Ｙ側端部）を貫通してパネル本体２１に形成された孔部２７ａに挿入される。固定部材３７ｄの他方は、貫通孔３７ｂを貫通してパネル本体２１に形成された孔部２７ｂに挿入される。なお、孔部２７ａ、２７ｂの位置は予め設定されており、当該孔部２７ａ、２７ｂのＹ方向のピッチに合わせて貫通孔３７ａ、３７ｂ、３７ｃの形状及び寸法が設定されている。接続部３９は、基部３７の−Ｚ側端辺から＋Ｘ方向に折り曲げられた状態に形成されている。
【００４１】
装着部３８は、パネル本体３１の底面３１ｅに装着される。装着部３８は、接続部３９から＋Ｘ方向に突出するように板状に形成されている。装着部３８は、底面３１ｅに沿うようにＸＹ平面に平行に設けられている。装着部３８のうち＋Ｘ側の端部は、丸みを帯びた形状に形成されている。装着部３８には、軸部３８ａが形成されている。軸部３８ａは、装着部３８の＋Ｚ側の面から＋Ｚ方向に突出するように円柱状に形成されている。
【００４２】
軸部３８ａは、パネル本体３１の底面３１ｅに設けられた挿入孔３１ｂに挿入される。挿入孔３１ｂは、底面３１ｅのうちバックパネル２０側の端部に設けられている。挿入孔３１ｂは、例えばパネル本体３１の厚さ方向（図４及び図６ではＹ方向）の中央に形成されている。挿入孔３１ｂは、底面３１ｅ側から−Ｚ方向に円柱状に刳り貫かれた形状を有している。軸部３８ａの外周及び挿入孔３１ｂの内周は、軸部３８ａと挿入孔３１ｂとの間でθＺ方向の相対的な移動（例、回動動作）が可能となるように、寸法や摩擦係数などが設定されている。
【００４３】
図７は、バックパネル２０とサイドパネル３０との連結部分の構成を示す平面図である。  
軸部３５ａと挿入孔３１ａとの間、及び、軸部３８ａと挿入孔３１ｂとの間は、それぞれθＺ方向の相対的な移動が可能となるように設けられているため、図７に示すように、軸部３５ａ、３８ａが挿入孔３１ａ、３１ｂに挿入された状態においては、パネル本体３１が軸部３５ａ、３８ａに対してθＺ方向に回動可能となる。このように、サイドパネル３０は、バックパネル２０との連結部分である軸部３５ａ、３８ａを中心として、当該バックパネル２０に対して左右方向（θ方向）に回動可能に設けられている。
【００４４】
図８は、図４の一部を拡大して示す図であり、サイドパネル３０と脚部４０との間の取り付け構造を示す分解斜視図である。図９は、サイドパネル３０の底部の先端を拡大して示す図である。  
図８及び図９に示すように、本体部４１は、例えば金属などの剛性の高い材料を用いて円筒状に形成されている。本体部４１の外径及び内径は、長手方向において等しくなっている。カバー部材４２は、本体部４１のうち長手方向の一方の端部である第一端部４１ａに取り付けられている。
【００４５】
カバー部材４２の＋Ｚ側の先端には、雄ネジ４２ａが形成されている。一方、本体部４１の第一端部４１ａの内周には、雌ネジ４１ｃが形成されている。カバー部材４２の雄ネジ４２ａと第一端部４１ａの雌ネジ４１ｃとの間の螺合及び螺合の解除により、カバー部材４２が本体部４１との間で着脱可能に設けられる。
【００４６】
本体部４１のうち長手方向の他方の端部である第二端部４１ｂは、パネル本体３１の底部３１ｅに形成された挿入孔３１ｃに挿入されている。挿入孔３１ｃは、底面３１ｅのうち＋Ｘ側の端部に設けられている。挿入孔３１ｃは、例えばパネル本体３１の厚さ方向（図４及び図８ではＹ方向）の中央に形成されている。挿入孔３１ｃは、底面３１ｅ側から−Ｚ方向に所定の深さＬ３で円柱状に刳り貫かれた形状を有している。本体部のうち第二端部４１ｂ側の外周及び挿入孔３１ｃの内周は、当該第二端部４１ｂ側が挿入孔３１ｃに対して挿脱可能となるように、寸法や摩擦係数などが設定されている。
【００４７】
フランジ部４３は、例えば板状に形成されており、＋Ｚ側の面と−Ｚ側の面とが平坦かつ平行に形成されている。フランジ部４３は、図８及び図９ではパネル本体３１の底部３１ｅに沿うように本体部４１の外周面の全体からＸ方向及びＹ方向に突出している。例えば、フランジ部４３は、Ｘ方向が長手方向となり、Ｙ方向が短手方向となるように、＋Ｙ方向及び−Ｙ方向よりも、＋Ｘ方向及び−Ｘ方向の方に長く突出している。
【００４８】
フランジ部４３は、本体部４１の長手方向の中央部に対して例えば第二端部４１ｂ側にずれた位置に配置されている。このため、フランジ部４３から第一端部４１ａまでの距離（第一距離）Ｌ１は、フランジ部４３から第二端部４１ｂまでの距離（第二距離）Ｌ２よりも長くなっている。なお、第一距離Ｌ１は、挿入孔３１ｃの深さＬ３以下の値を有している（Ｌ３≧Ｌ１＞Ｌ２）。
【００４９】
また、第一距離Ｌ１と第二距離Ｌ２との差は、バックパネル２０に設けられる第一鉤部２５と第二鉤部２６との間隔であって、貫通孔１６ａ、１６ｂ、１６ｃ及び突出部１７ａ、１７ｂ、１７ｃのＺ方向のピッチＰに等しくなっている（Ｌ１−Ｌ２＝Ｐ）。
【００５０】
第二端部４１ｂが挿入孔３１ｃに挿入された状態においては、フランジ部４３は、パネル本体３１の底部３１ｅに当接される。したがって、パネル本体３１は、フランジ部４３を介して脚部４０によって支持されることになる。この場合、フランジ部４３は、パネル本体３１ひいてはサイドパネル３０に作用する重力を受けることとなる。本体部４１の外周面の全体からＸ方向及びＹ方向に突出しているため、本体部４１とフランジ部４３との境界に作用する力が外周面の全体に分散されることになる。
【００５１】
第二端部４１ｂが挿入孔３１ｃに挿入されることにより、フランジ部４３までの距離が第一距離Ｌ１である第一端部４１ａがサイドパネル３０の底部３１ｅの下方に突出して配置される。このため、床面Ｆから底部３１ｅまでの距離は、第一距離Ｌ１にカバー部材４２の厚さを加えた値となる。本実施形態では、当該床面Ｆから底部３１ｅまでの距離が図１及び図２に示す高さｈ２に等しくなるように各部の寸法が調整される。
【００５２】
フランジ部４３には、当該フランジ部４３を厚さ方向に貫通する貫通孔４３ａが設けられている。貫通孔４３ａは、Ｘ方向に本体部４１を挟む位置に２箇所設けられている。貫通孔４３ａは、例えばフランジ部４３の厚さ方向に等しい径に形成されている。フランジ部４３は、固定部材４４によってパネル本体３１の底部３１ｅに固定されている。固定部材４４は、貫通孔４３ａを介して底部３１ｅに螺合されている。
【００５３】
図１０は、脚部４０の構成を示す断面図である。  
図１０に示すように、本体部４１の第二端部４１ｂの内周には、雌ネジ４１ｄが形成されている。雌ネジ４１ｄは、第一端部４１ａに設けられる雌ネジ４１ｃと同一の内径であり同一のネジ山数を有している。この場合、第二端部４１ｂの雌ネジ４１ｄにカバー部材４２の雄ネジ４２ａを螺合させることが可能である。このように、カバー部材４２の雄ネジ４２ａと第二端部４１ｂの雌ネジ４１ｄとの間の螺合及び螺合の解除によっても、カバー部材４２が本体部４１との間で着脱可能に設けられることになる。
【００５４】
また、上記のように、本体部４１の外径は長手方向において等しくなっており、第一距離Ｌ１が挿入孔３１ｃの深さＬ３以下の値を有しているため、第一端部４１ａを挿入孔３１ｃに挿入させることも可能である。この場合、本体部のうち第一端部４１ａ側の外周についても、当該第一端部４１ａ側が挿入孔３１ｃに対して挿脱可能となるように、寸法（例えば、第二端部４１ｂの外径に等しくする、など）や摩擦係数などが設定されている。
【００５５】
上記のように構成されたデスクパネル１００において、図３に示す状態の第一鉤部２５及び第二鉤部２６の挿入箇所を、例えば２つの貫通孔１６ａ、１６ｂから２つの貫通孔１６ｂ、１６ｃに変更した場合、図１１に示すように、第一鉤部２５の先端部２５ａと突出部１７ｂとの間、及び、第二鉤部２６の先端部２５ｂと突出部１７ｃとの間がそれぞれ係合される。係合位置の変更により、接続部２３のＺ軸上の位置が第一鉤部２５及び第二鉤部２６のＺ方向のピッチＰだけ−Ｚ側にずれることになる。この結果、バックパネル２０の高さ位置は、ピッチＰと等しい高さだけ−Ｚ側に変化する。
【００５６】
本実施形態では、バックパネル２０はサイドパネル３０と連結されているため、バックパネル２０の高さ位置が−Ｚ側に変化する場合には、サイドパネル３０の高さ位置についても等しい距離だけ−Ｚ側に変化させる必要がある。
【００５７】
これに対して、本実施形態では、フランジ部４３から第一端部４１ａまでの第一距離Ｌ１とフランジ部４３から第二端部４１ｂまでの第二距離Ｌ２との差が、第一鉤部２５と第二鉤部２６との間隔Ｐに等しくなっている。このため、第二端部４１ｂが挿入孔３１ｃに挿入された状態から、図１２に示すように、第一端部４１ａが挿入孔３１ｃに挿入された状態に変更すればよい。
【００５８】
第一端部４１ａが挿入孔３１ｃに挿入されることにより、フランジ部４３までの距離が第二距離Ｌ２である第二端部４１ｂがサイドパネル３０の底部３１ｅの下方に突出して配置される。なお、床面Ｆから底部３１ｅまでの距離は、第二距離Ｌ２にカバー部材４２の厚さを加えた値となる。
【００５９】
この結果、図１３に示すように、床面Ｆからバックパネル２０の底部までの距離ｈ３、及び、床面Ｆから底部３１ｅまでの距離ｈ４は、図３に示す高さｈ１及び高さｈ２に対して、それぞれ距離Ｐずつ低くなった状態となる。このため、サイドパネル３０は図３に示す状態と同様に、脚部４０によって支持されることになる。
【００６０】
このように、脚部４０において、第一端部４１ａと第二端部４１ｂとを切り替えて挿入孔３１ｃに挿入することにより、フランジ部４３までの距離が第一距離Ｌ１である第一端部４１ａ、及び、フランジ部４３までの距離が第二距離Ｌ２である第二端部４１ｂのうち一方をサイドパネル３０の底部３１ｅの下方に選択的に突出させることが可能となる。このため、底部３１ｅの下方に突出する部分の距離を第一距離Ｌ１及び第二距離Ｌ２の間で選択可能となる。
【００６１】
本実施形態では、第一距離Ｌ１と第二距離Ｌ２との差をバックパネル２０の高さ調整に用いられるピッチＰと等しくしている。このため、バックパネル２０の高さ位置を段階的に調整する場合には、サイドパネル３０の高さ位置がバックパネル２０の高さ位置に応じた高さとなるように当該サイドパネル３０の高さ位置を段階的に変更することができる。このように、サイドパネル３０の高さ位置を脚部４０において変更することができるため、脚部４０を交換する必要が無い。これにより、部品点数の増加及び組み立て作業の煩雑化を抑えることができる。
【００６２】
本発明の技術範囲は上記実施形態に限定されるものではなく、本発明の趣旨を逸脱しない範囲で適宜変更を加えることができる。  
例えば、上記実施形態では、デスク１０の左側面のみにサイドパネル３０を配置させた構成を例に挙げて説明したが、これに限られることは無い。
【００６３】
図１４は、変形例に係るデスクパネル２００の構成を示す斜視図である。  
例えば、図１４に示すように、デスク１０の左側面及び右側面にそれぞれサイドパネル３０、２３０が配置された構成であってもよい。サイドパネル２３０は、上側連結部２３２及び下側連結部２３３によってバックパネル２０に連結されており、脚部２４０によって床面Ｆに支持されている。この構成において、サイドパネル３０、２３０の両方がθＺ方向に回動可能な構成としてもよいし、いずれか一方のみがθＺ方向に回動可能な構成としてもよい。
【００６４】
また、上記説明では、一台のデスク１０に対してデスクパネルを配置させる場合の構成を例に挙げて説明したが、これに限られることは無い。  
図１５は、変形例に係るデスクパネル３００の構成を示す斜視図である。  
例えば、図１５に示すように、Ｙ方向に並んで配置された複数台（２台）のデスク１０、３１０に対してデスクパネル３００を配置させるようにしてもよい。この場合、デスク１０、バックパネル２０及びサイドパネル３０に対して、デスク３１０の背面に配置されるバックパネル３２０と、デスク３１０の左側面に配置されるサイドパネル３３０Ａと、デスク３１０の右側面に配置されるサイドパネル３３０Ｂとを加えることができる。サイドパネル３３０Ａは、デスク１０とデスク３１０との間を仕切っている。サイドパネル３３０Ａ、３３０Ｂは、それぞれ連結部３３２Ａ、３３２Ｂ（上記実施形態の上側連結部に対応）と、不図示の下側連結部とによってバックパネル３２０に連結されている。サイドパネル３３０Ａ、３３０Ｂの底部には、それぞれ脚部３４０Ａ、３４０Ｂが取り付けられている。バックパネル３２０、サイドパネル３３０Ａ、３３０Ｂ、脚部３４０Ａ、３４０Ｂの構成については、それぞれ上記実施形態と同様である。
【００６５】
図１６は、バックパネル３２０とサイドパネル３３０Ａとの連結部分の構成を示す平面図である。図１７は、デスクパネル３００を正面側から見たときの構成を示す図である。
図１６及び図１７に示すように、サイドパネル３３０Ａは、厚さ方向の中心がバックパネル２０とバックパネル３２０との当接部分に位置するようにバックパネル３２０に連結されている。これにより、デスクパネル３００によって囲まれるデスク１０、３１０のスペースを等しく設定することができる。
【００６６】
なお、上記説明において記載したデスク１０、３１０の構成については一例に過ぎず、他の構成であってもよい。
【符号の説明】
【００６７】
１０、３１０…デスク  １０ｂ…背面  １０ｃ…左側面  １０ｄ…右側面  １６…延出部分  ２０…バックパネル  ２１…パネル本体  ２１ａ…パネル面  ２３…接続部  ２４…基部  ２５…第一鉤部  ２６…第二鉤部  ３０、２３０、３３０Ａ、３３０Ｂ…サイドパネル  ３１…パネル本体  ３２…上側連結部  ３３…下側連結部  ３４、３７…基部  ３５、３８…装着部  ３６、３９…接続部  ４０…脚部  ４１…本体部  ４１ａ…第一端部  ４１ｂ…第二端部  ４２…カバー部材  ４３…フランジ部  ４４…固定部材  １００、２００、３００…デスクパネル
【図１】
2014090925.tif 000003
【図２】
2014090925.tif 000004
【図３】
2014090925.tif 000005
【図４】
2014090925.tif 000006
【図５】
2014090925.tif 000007
【図６】
2014090925.tif 000008
【図７】
2014090925.tif 000009
【図８】
2014090925.tif 000010
【図９】
2014090925.tif 000011
【図１０】
2014090925.tif 000012
【図１１】
2014090925.tif 000013
【図１２】
2014090925.tif 000014
【図１３】
2014090925.tif 000015
【図１４】
2014090925.tif 000016
【図１５】
2014090925.tif 000017
【図１６】
2014090925.tif 000018
【図１７】
2014090925.tif 000019